(57)【要約】【課題】縁巻を利用してスライドするパネル相互の端部における隙間の発生を抑える金属箔成形体を提供する。【解決手段】第１平板２６ａの端部５９を折返して折曲げ片１８ａ及び折返し片２２ａを形成する。一方、第２平板２７ａの端部６０を折返して折曲げ片１９ａ及び折返し片２３ａを形成する。この状態で第１平板２６ａ及び第２平板２７ａを重ね合わせて端部側をプレスして平坦化する。そしてこの重ね合わされた状態で、第１平板２６ａ及び第２平板２７ａの平坦化された部分を一体的に巻き込むように曲げ加工して縁巻きを形成する。縁巻が形成されていない平板部２０ａの端部には折曲げ片１８ａが、平板部２１ａの端部には折曲げ片１９ａが、各々残るので平坦部２０ａ及び平坦部２１ａの端部の曲げ剛性が向上する。これによって、平坦部の端部における隙間が生じないスライド構造が形成される。【選択図】　　　図７
2004058126.tif 000002
【特許請求の範囲】
【請求項１】
プレス加工によって形成され、スライド自在の金属箔成形体であって、
金属箔からなり、第１平板部と前記第１平板部の両側縁に形成された第１縁巻とからなるほぼ矩形平板形状の第１パネルと、
金属箔からなり、第２平板部と前記第２平板部の両側縁に形成された第２縁巻とからなるほぼ矩形平板形状の第２パネルとからなり、
前記第１の縁巻が前記第２の縁巻に摺動自在に挿入されることによって、前記第１平板部と前記第２平板部との重なり具合が変化し、
前記第１平板部の重なり部分における端部は、前記第１平板部の第１平板面の一方側に折り返され、且つ前記折り返された前記端部のうち前記第１平板面の前記一方側の面から最大に離れた部分と前記第１平板面の前記一方側の面との間に所定空間を有し、
前記第２平板部の重なり部分における端部は、前記第２平板部の第２平板面の一方側に折り返され、且つ前記折り返された前記端部のうち、前記第２平板面の前記一方側の面から最大に離れた部分と前記第２平板面の前記一方側の面との間に所定空間を有する、金属箔成形体。
【請求項２】
前記第１平板部及び前記第２平板部の各々の端部は、前記第２平板部及び前記第１平板部の各々の側に向かって折り返され、前記第２平板面及び前記第１平板面の各々に当接する、請求項１記載の金属箔成形体。
【請求項３】
プレス加工によって形成され、スライド自在の金属箔成形体の製造方法であって、
金属箔からなり、ほぼ矩形形状の第１平板の一方端部を折返して前記第１平板の面とに所定空間を有する第１折返し片を形成する工程と、
金属箔からなり、前記第１平板の幅とほぼ同一幅の第２平板の一方端部を折返して、前記第２平板の面とに所定空間を有する第２折返し片を形成する工程と、前記第１折返し片を含む前記第１平板と前記第２折返し片を含む前記第２平板とを重ね合わせ、前記第１平板と前記第２平板とを幅方向の両端縁で揃える工程と、
前記重ね合わされた状態で、前記第１平板及び前記第２平板の前記両側縁の各々から前記幅方向の所定範囲の前記第１折返し片及び前記第２折返し片の各々の一部を押し潰すように平坦化する工程と、
前記重ね合わされた状態で、前記平坦化された前記第１折返し片及び前記第２折返し片の各々の一部を巻き込むようにして縁巻を形成する工程とからなる、金属箔成形体の製造方法。
【請求項４】
前記第１平板と前記第２平板とを幅方向で揃える工程において、前記第１平板と前記第２平板とは、前記第１折返し片が前記第２平板の平面部に、前記第２折返し片が前記第１平板の平面部に、互いに当接するように重ね合わされる、請求項３記載の金属箔成形体の製造方法。
【請求項５】
ガスレンジのバーナー部等の両側の少なくとも一方と奥側とを囲むようにして設置する形式の調理用油除けであって、
金属箔からなり、ほぼ矩形平板状の正面パネルと、
金属箔からなり、前記正面パネルに折曲げ自在に接続される、ほぼ矩形平板形状の側面パネルとからなり、
前記側面パネルは、請求項１又は請求項２記載の金属箔成形体により構成される、調理用油除け。
【発明の詳細な説明】
【０００１】
【発明の属する技術分野】
この発明は金属箔成形体、金属箔成形体の製造方法及び調理用油除けパネルに関し、特に２枚のパネルが相互にスライド可能となる金属箔成形体及び金属箔成形体の製造方法並びに調理中の油の飛散防止のためにコンロ部の少なくとも２方を囲むように設置される調理用油除けパネルに関するものである。
【０００２】
【従来の技術】
図１１は従来の調理用油除けパネルの使用状態の一例を示した斜視図である。
【０００３】
図を参照して、システムキッチンレンジ７０はビルトインコンロとしてレンジトッププレート７１に四角枠形状のガードプレート７２が埋込まれ、その内部に複数のバーナー部７３が平面的に配列されている。バーナー部７３の各々には、ポットや鍋等をその上方に載置するための五徳部として、複数の五徳の脚７４が配置されている。更に、コンロ部の後方には、レンジトッププレート７１におけるグリル、オーブン等からの熱気を排出するためのグリル排気口７５が配置されている。
【０００４】
調理用油除けパネル１０１はほぼ矩形形状の右側面パネル１１１と、正面パネル１１０の両側の各々に折曲げ自在に接続される正面パネル１１０及び左側面パネル１１２とから構成される。これらはいずれもアルミニウム箔をプレス成形加工することによって形成されるものである。
【０００５】
正面パネル１１０はその上方部が緩やかな山形形状を有している平板部１７よりなり、平板部１７の上端部及び下端部は各々曲げ加工されて縁巻３２及び縁巻３３が形成されている。尚、平板部１７の両端部は折曲げ自在の固定パネル１１５ａ及び固定パネル１１５ｂが接続されているが、これらは右側面パネル１１１及び左側面パネル１１２の一部を構成するものである。
【０００６】
左側面パネル１１２は、上述のように正面パネル１１０に折曲げ自在に接続された固定パネル１１５ａと、固定パネル１１５ａの内方面にその外方面が対向した状態で固定パネル１１５ａに対して正面パネル１１０に向かってスライド可能な可動パネル１１６ａとから構成される。
【０００７】
固定パネル１１５ａは、矩形平板形状の平板部とその両側縁に形成された縁巻とから構成される。
【０００８】
可動パネル１１６ａは、１つの角が丸みを帯びた矩形平板形状の平板部と、その両側縁に形成された縁巻とから構成される。尚、平板部の下方部には、内方側に折曲げられて油受として機能する折曲げ部１１３ａが形成されている。
【０００９】
固定パネル１１５ａと可動パネル１１６ａとは、固定パネル１１５ａの縁巻と、可動パネル１１６ａの縁巻の各々とが係合することによって、これらはスライド可能となっている。このスライド構造の詳細については後述する。
【００１０】
一方、右側面パネル１１１も同様に固定パネル１１５ｂ及び可動パネル１１６ｂによって構成され、これらは固定パネル１１５ｂの縁巻と、可動パネル１１６ｂの縁巻の各々が係合することによって、互いにスライド可能となっている。
【００１１】
図１２は図１１の“Ｙ”部分の拡大斜視図であり、図１３は図１２のＸＩＩＩ−ＸＩＩＩラインの端面図であり、図１４は図１２のＸＩＶ−ＸＩＶラインの端面図である。
【００１２】
これらの図を参照して、まず固定パネル１１５ａの縁巻３４と可動パネル１１６ａの縁巻３６との係合状態について説明する。図１３に示されているように、縁巻３６の先端部は外方方向に折り返されて、“Ｃ”の範囲において外層縁巻５４と内層縁巻５５との二層構造の縁巻となっている。一方、縁巻３４の先端部分は内方側に折り返されて、“Ａ”部分の範囲において外層縁巻４７及び内層縁巻４８との二層構造の縁巻となっている。すなわち、“Ｃ”の範囲においては縁巻３６の外層縁巻５４は縁巻３４の内面に摺動自在に当接した状態となっている。そして、“Ａ”の範囲においては縁巻３４の内層縁巻４８は縁巻３６の外面に摺動自在に当接した状態となっている。又、“Ｂ”の範囲においては縁巻３４と縁巻３６とは密着することなく隙間が形成されている。
【００１３】
縁巻３６と縁巻３４とは以上のように係合しているため、使用時には係合状態、すなわち“Ｂ”の範囲を増減するように縁巻３６の縁巻３４に対する挿入程度を変化させる。この場合、縁巻３６及び縁巻３４の各々は、“Ａ”と“Ｃ”の範囲における２ヵ所で常時当接しているため、これらの係合状態が安定し、スムーズな挿入動作が保証される。
【００１４】
次に図１４を参照して、固定パネル１１５ａの平板部２０と可動パネル１１６ａの平板部２１との係合状態について説明する。平板部２０の先端部は、平板部２１側に折り返されて“Ａ”の範囲ににおいて折返し片８７となり、平板部２１に当接した状態となっている。一方、平板部２１の先端部も、平板部２０側に折り返されて“Ｃ”の範囲において折返し片８８が形成され、平板部２０に当接した状態となっている。
【００１５】
平板部２０及び平板部２１はこのように構成されているため、“Ｂ”の範囲においてはそれらは互いに密着せず微視的な隙間が形成されている。従って、平板部２０と平板部２１とは、それらの端部は互いに当接した状態でありながら内方における微視的な隙間の存在によって平板部２０に対して平板部２１をスライドさせた場合に生じる接触抵抗を軽減することが可能となる。
【００１６】
【発明が解決しようとする課題】
上記のような従来の調理用油除けパネルでは、固定パネルと可動パネルのスライド機能はスムーズに発揮されるが、各々のパネルのスライド部の端部の処理が充分ではなかった。
【００１７】
図１５はこの問題を説明するための図であって、図１１で示した調理用油除けパネルの右側面パネルにおける固定パネルと可動パネルとの重なり端部を拡大した斜視図である。
【００１８】
図を参照して、固定パネル１１５ｂの平板部２０ａの端部８９は、折返し片８７ｂが折り返されているだけなので、図のように可動パネル１１６ｂの平板部２１に対して外方に撓むように変形しやすい。すると、可動パネル１１６ｂの平板部２１と固定パネル１１５ｂの平板部２０ａの端部８９との間に、隙間９０が生じてしまうことになる。この隙間９０は、調理用油除けパネルの美観を損なうばかりかその間から油はね等が浸入しやすくなり、機能上の品質の低下をもたらす。この問題は調理用油除けパネルのみだけでなく、このようなスライド機構を採用した金属箔成形体においても同様である。
【００１９】
この発明は上記のような課題を解決するためになされたもので、縁巻を利用してスライドする機構を有するパネル相互の端部における隙間の発生を抑える金属箔成形体、金属箔成形体の製造方法及び調理用油除けパネルを提供することを目的とする。
【００２０】
【課題を解決するための手段】
上記の目的を達成するために、プレス加工によって形成され、スライド自在の金属箔成形体であって、金属箔からなり、第１平板部と第１平板部の両側縁に形成された第１縁巻とからなるほぼ矩形平板形状の第１パネルと、金属箔からなり、第２平板部と第２平板部の両側縁に形成された第２縁巻とからなるほぼ矩形平板形状の第２パネルとからなり、第１縁巻が第２縁巻に摺動自在に収納されることによって第１平板部と第２平板部との重なり具合が変化し、第１平板部の重なり部分における端部は、第１平板部の第１平板面の一方側に折り返され、且つ折り返された端部のうち第１平板面の一方側の面から最大に離れた部分と平板面の一方側の面との間に所定空間を有し、第２平板部の重なり部分における端部は、第２平板部の第２平板面の一方側に折り返され、且つ折り返された端部のうち第２平板面の一方側の面から最大に離れた部分と第２平板面の一方側の面との間に所定空間を有するものである。
【００２１】
このように構成すると、第１平板部及び第２平板部の各々の重なり部分における端部の剛性が高まるので、幅方向に対する直交方向への撓みや変形が少なくなる。
【００２２】
請求項２記載の発明は、請求項１記載の発明の構成において、第１平板部及び第２平板部の各々の端部は、第２平板部及び第１平板部の各々の側に向かって折り返され、第２平板面及び第１平板面の各々に当接するものである。
【００２３】
このように構成すると、折返し部分は外方に露出することはない。
【００２４】
請求項３記載の発明は、プレス加工によって形成され、スライド自在の金属箔成形体の製造方法であって、金属箔からなり、ほぼ矩形形状の第１平板の一方端部を折返して第１平板の面とに所定空間を有する第１折返し片を形成する工程と、金属箔からなり、第１平板の幅とほぼ同一幅の第２平板の一方端部を折返して第２平板の面とに所定空間を有する第２折返し片を形成する工程と、第１折返し片を含む第１平板と第２折返し片を含む第２平板とを重ね合わせ、第１平板と第２平板とを幅方向の両端縁で揃える工程と、重ね合わされた状態で、第１平板および第２平板の両端縁の各々から幅方向の所定範囲の第１折返し片及び第２折返し片の各々の一部を押し潰すように平坦化する工程と、重ね合わされた状態で、平坦化された第１折返し片及び第２折返し片の各々の一部を巻き込むようにして縁巻を形成する工程とからなるものである。
【００２５】
このように構成すると、第１平板及び第２平板の端部の折返し片の各々は縁巻部以外の部分に残存する。
【００２６】
請求項４記載の発明は、請求項３記載の発明の構成において、第１平板と第２平板とを幅方向で揃える工程において、第１平板と第２平板とは、第１折返し片が第２平板の平面部に、第２折返し片が第１平板の平面部に、互いに当接するように重ね合わせられるものである。
【００２７】
このように構成すると、第１折返し片及び第２折返し片が外方に露出しない。
【００２８】
請求項５記載の発明は、ガスレンジのバーナー部等の両側の少なくとも一方と奥側とを囲むようにして設置する形式の調理用油除けであって、金属箔からなり、ほぼ矩形平板状の正面パネルと、金属箔からなり、正面パネルに折曲げ自在に接続される、ほぼ矩形平板形状の側面パネルとからなり、側面パネルは請求項１又は請求項２記載の金属箔成形体により構成されるものである。
【００２９】
このように構成すると、側面パネルの正面パネルからの突出し長さが変化するとともに、側面パネルを構成する第１パネルと第２パネルとの重なり部分の端部の隙間が拡大しない。
【００３０】
【発明の効果】
以上説明したように、請求項１記載の発明は、第１平板部及び第２平板部の端部の剛性が高まるので、互いの重なり部分の端部と平板部との隙間が大きくなる虞がないので美観及び品質が向上する。
【００３１】
請求項２記載の発明は、請求項１記載の発明の効果に加えて、折返し部分は外方に露出することがないため、すっきりとした外観となるとともに、重なり部分の第１平板部と第２平板部とは折返し部分を除いてスペースがあるため、よりスムーズなスライドが可能となる。又、折返し部分によって、脱落防止のストッパーとしての機能がより発揮される。
【００３２】
請求項３記載の発明は、第１平板及び第２平板の端部の折返し片の各々は縁巻部以外に残存するため、重なり部分の端部の剛性は低下することなく、スムーズな伸縮を可能とする金属箔成形体が製造される。
【００３３】
請求項４記載の発明は、請求項３記載の発明の効果に加えて、第１折返し片及び第２折返し片が外方に露出しないため、すっきりとした外観となるとともに重なり部分の第１平板部と第２平板部とは折返し部分を除いてスペースがあるため、よりスムーズなスライドが可能となる。
【００３４】
請求項５記載の発明は、使用状況に応じて側面パネルの突出し長さを調整できるので使い勝手が向上する。そして、第１パネルと第２パネルとの重なり部分から油跳ねが浸入することはないため品質が向上する。
【００３５】
【発明の実施の形態】
図１はこの発明の第１の実施の形態による金属箔成形体によって構成される調理用油除けパネルの外観形状を示した斜視図である。
【００３６】
図を参照して、調理用油除けパネル１０１はほぼ矩形形状の正面パネル１１０と、正面パネル１１０の両側の各々に折曲げ自在に接続される右側面パネル１１１及び左側面パネル１１２とから構成される。これらはいずれもアルミニウム箔をプレス成形加工することによって形成される金属箔成形体である。正面パネル１１０は必要に応じてその上方部が緩やかな山形形状を有している平板部１７よりなり、平板部１７の上端部及び下端部は各々曲げ加工されて縁巻３２及び縁巻３３が形成されている。尚、平板部１７の両端部は折曲げ自在の固定パネル１１５ｂ及び固定パネル１１５ａが接続されているが、これらは右側面パネル１１１及び左側面パネル１１２の一部を構成するものである。
【００３７】
右側面パネル１１１は、上述のように正面パネル１１０に折曲げ自在に接続された固定パネル１１５ｂと、固定パネル１１５ｂの内方面にその外方面が対向した状態で固定パネル１１５ｂに対して正面パネル１１０に向かってスライド可能な可動パネル１１６ｂとから構成される。
【００３８】
固定パネル１１５ｂは、矩形平板形状の平板部２０ｂと平板部２０ｂの両側縁に形成された縁巻３４ｂ及び縁巻３５ｂとから構成される。
【００３９】
可動パネル１１６ｂは、１つの角が丸みを帯びた矩形平板形状の平板部２１ｂと平板部２１ｂの両側縁に形成された縁巻３６ｂ及び縁巻３７ｂとから構成される。尚、平板部２１ｂの下方部には、内方側に折曲げられて油受として機能する折曲げ部１１３ｂが形成されていても良い。又折曲げ部１１３ｂの下面には、調理用油除けパネル１０１の設置時に右側面パネル１１１の不用意な移動を防止するための滑り防止テープが接着されていても良い。
【００４０】
固定パネル１１５ｂと可動パネル１１６ｂとは、固定パネル１１５ｂの縁巻３４ｂ及び縁巻３５ｂと、可動パネル１１６ｂの縁巻３６ｂ及び縁巻３７ｂの各々とが係合することによって、従来例で示したようにこれらはスライド可能となっている。
【００４１】
一方、左側面パネル１１２も同様に固定パネル１１５ａ及び可動パネル１１６ａによって構成され、これらは固定パネル１１５ａの縁巻３４ａ及び縁巻３５ｂと、可動パネル１１６ａの縁巻３６ａ及び縁巻３７ａの各々が係合することによって、互いにスライド可能となっている。尚、固定パネル１１５及び可動パネル１１６の各々のスライド側の端部の形状は従来例とは異なっているが、これについては後述する。
【００４２】
図２は図１の“Ｘ”部分の拡大斜視図であり、図３は図２のＩＩＩ−ＩＩＩラインの端面図であり、図４は図２のＩＶ−ＩＶラインの端面図であり、図５は図２のＶ−Ｖラインの端面図であり、図６は図２のＶＩ−ＶＩラインの端面図である。
【００４３】
これらの図を参照して、まず固定パネル１１５ａの縁巻３４ａと可動パネル１１６ａの縁巻３６ａとの係合状態についてであるが、これは従来例で示した図１３の端面形状と同一であるのでここでの説明は繰り返さない。
【００４４】
次に図３を参照して、固定パネル１１５ａの平板部２０ａと可動パネル１１６ａの平板部２１ａとの係合状態について説明する。平板部２０ａの先端部は、平板部２１ａ側に折返されて折曲げ片１８ａが形成され、更に平板部２１ａと平行に折返されて折返し片２２ａが形成され、平板部２１ａに当接した状態となっている。一方、平板部２１ａの先端部も平板部２０ａ側に折返されて折曲げ片１９ａが形成され、更に平板部２０ａと平行に折返されて折返し片２３ａが形成され、平板部２０ａに当接した状態となっている。
【００４５】
すなわち、折返し片２２ａ及び折返し片２３ａは、従来例のように平板部２０ａ及び平板部２１ａに密着した状態とならず、折曲げ片１８ａ及び折曲げ片１９ａの分だけ各々平板部２０ａ及び平板部２１ａから所定空間６１及び所定空間６２離れた状態で形成されている。このため図面を貫通する方向を軸方向とした場合、その軸に対して上下に直交する方向に対する曲げ剛性が大きくなることになる。その結果、折返し片２２ａ及び折返し片２３ａの平板部２１ａ及び平板部２０ａに対する当接状態が保持され、従来例のようにその間に隙間が生じる虞が低減する。
【００４６】
尚、上記の所定空間は大きい程曲げ剛性を高めるが、少なくとも折返し片２２ａ及び折返し片２３ａの板厚の３倍以上の空間が保持されることが好ましい。これによって平板部２０ａの折返し片端部２４は、外方に露出することなく、又折返し部の曲げ剛性が向上する。
【００４７】
同様に平板部２１ａにおいても折返し片端部２５は外方に露出せず、又折返し部の強度が向上する。尚、折返し片２２ａ及び折返し片２３ａは、各々平板部２０ａ及び平板部２１ａから離れた位置に形成されているため、スライドさせた場合の脱落を防止するストッパーとしての機能を従来例に比べてより発揮し得る形状となっている。
【００４８】
平板部２０ａ及び平板部２１ａはこのように構成されているため、端部を除いた範囲においてはそれらは互いに密着せず微視的な隙間３０が形成されている。従って、平板部２０ａと平板部２１ａとは、それらの端部は互いに当接した状態でありながら、微視的な隙間３０の存在によって平板部２０ａに対して平板部２１ａをスライドさせた場合に生じる接触抵抗を確実に軽減することが可能となる。
【００４９】
ここで図４から図６を参照して、縁巻部の係合状態について説明する。
【００５０】
図２において“Ａ”部分で示した縁巻部の係合状態は図４の端面図に示されている。すなわち、平板部２０ａと折返し片２２ａとは、縁巻３４ａに近接した位置で傾斜部５０ａ及び傾斜部５１ａを介して密着状態に変形している。そして縁巻３４ａにおいて、平板部２０ａに接続する部分は外層縁巻４７となり、折返し片２２ａに接続する部分は内層縁巻４８となっている。一方、平板部２１ａは折返し片２２ａに接続する傾斜部５１ａに沿うように変形して傾斜部５２ａとなり、それに続く縁巻３６ａは縁巻３４ａの内層縁巻４８に巻き込まれた状態となっている。これによって可動パネル１１６ａの縁巻３６ａは、固定パネル１１５ａの縁巻３４ａを構成する内層縁巻４８に対して摺動自在で係合することになる。
【００５１】
図２において“Ｂ”部分で示した縁巻部の係合状態は図５の端面図に示されている。すなわち、この部分には固定パネル１１５ａにおいては折返し片２２ａが形成されていない。従って、平板部２０ａは図４で示した形状と同様に傾斜部５０ａにおいて変形し縁巻３４ａに接続している。一方、可動パネル１１６ａの平板部２１ａは、図４で示した形状と同様に傾斜部５２ａにおいて変形し縁巻３６ａに接続している。従って、この位置における縁巻部の係合にあっては、縁巻３４ａと縁巻３６ａとは実質上当接状態とはならず、折返し片２２ａの板厚分程度の隙間が空いた状態となって係合している。
【００５２】
図２において“Ｃ”部分で示した縁巻部の係合状態は図６の端面図によって示されている。この位置にあっては、固定パネル１１５ａの平板部２０ａは折返し片２２ａが存在していないため、図５で示したものと同様の形状となっている。すなわち、平板部２０ａは傾斜部５０ａで変形し縁巻３４ａに接続している。
【００５３】
一方、可動パネル１１６ａの平板部２１ａにあっては、この位置においては折返し片２３ａが形成されている。そして平板部２１ａ及び折返し片２３ａは縁巻３６ａの近接位置で傾斜部５２ａ及び傾斜部５３ａのように変形して互いに密着状態となる。そしてこの密着状態のまま縁巻３４ａの内方に接するように縁巻３６ａが形成されている。すなわち傾斜部５２ａは縁巻３６ａの内層縁巻５５に接続し、傾斜部５３ａは縁巻３６ａの外層縁巻５４に接続している。そして縁巻３６ａの外層縁巻５４と縁巻３４ａが摺動可能な状態に係合している。
【００５４】
このようにして固定パネル１１５ａの縁巻３４ａと可動パネル１１６ａの縁巻３６ａとが、その重なり部分の両端部において摺動自在に係合し、且つその内方部では互いに密着しない状態となっているため、パネルのスライド時における摺動動作がスムーズとなる。
【００５５】
尚、図２においては図１の“Ｘ”部分のみを示しているが、固定パネル１１５ａの縁巻３５ａと可動パネル１１６ａの縁巻３７ａとの係合も同様の構造である。従って、固定パネル１１５ａと可動パネル１１６ａとは、それらの重なり状態を保持しながらスムーズで且つ安定したスライド動作が可能となる。
【００５６】
図７は図２で示した平面部と縁巻とを含む左側面パネルの製造方法を示した図である。
【００５７】
図７の（１）に示されているように、アルミニウム箔よりなる矩形形状の第１平板２６ａと、同様にアルミニウム箔よりなる矩形形状の第２平板２７ａとを各々準備する。尚、第１平板２６ａの端部５９の長さすなわち第１平板２６ａの幅方向の長さと、第２平板２７ａの端部６０の長さすなわち第２平板２７ａの幅方向とはほぼ同一長さとなっている。
【００５８】
次に、図７の（２）に示されているように、第１平板２６ａの端部５９から所定範囲の部分を第２平板２７ａ側に折返して折曲げ片１８ａを形成し、更にその端部を第１平板２６ａに平行となるように折返して折返し片２２ａを形成する。同様に第２平板２７ａの端部６０から所定範囲の部分を第１平板２６ａ側に折返して折曲げ片１９ａを形成し、更にその端部を第２平板２７ａに平行となるように折返して折返し片２３ａを形成する。この状態で第１平板２６ａの折返し片２２ａが第２平板２７ａの平面部に対して、第２平板２７ａの折返し片２３ａが第１平板２６ａの平面部に対して、互いに接触する状態に重ね合わせる。
【００５９】
この重ね合わされた状態で図７の（３）における二点鎖線で示された部分から外方の所定範囲において、第１平板２６ａ及び第２平板２７ａの部分を折曲げ片１８ａ及び折返し片２２ａ並びに折曲げ片１９ａ及び折返し片２３ａと共にプレスして平坦化する。これによって、その部分の折曲げ片１８ａも変形し、折返し片２２ａの第１平板２６ａの外方部分には、傾斜部５１ａと第１平板２６ａに密着した平坦部５７ａが形成される。同様に、折返し片２３ａの第２平板２７ａの外方部分には、傾斜部５３ａと第２平板２７ａに密着した平坦部５８ａが形成される。図７の（３）は、便宜上この平坦化された状態から第１平板２６ａ及び第２平板２７ａを離した状態を示している。
【００６０】
次に、図７の（４）に示されているように第１平板２６ａと第２平板２７ａとを重ね合わせた状態で、矢印で示す方向に第１平板２６ａ及び第２平板２７ａの外方部の平坦化されている部分を一体的に巻き込むように曲げ加工して縁巻を形成する。このようにして図２で示したような固定パネル１１５ａ及び可動パネル１１６ａの係合構造を一度のプレス成形によって得ることが可能となる。これによって、縁巻３４ａと縁巻３６ａとの当接状態は良好となり、スムーズな係合状態を確保することができる。
【００６１】
又、このようにして平板部及び縁巻を形成するため、固定パネル１１５ａの折返し片２２ａと可動パネル１１６ａの折返し片２３ａとが互いにストッパーの役目を果たし、可動パネル１１６ａを引出した時の固定パネル１１５ａからの不用意な脱落を防止する。
【００６２】
図８はこの発明の第２の実施の形態による金属箔成形体の係合状態を示した端面図であって、先の実施の形態による図３に対応した図である。
【００６３】
図を参照して、平板部２０ａの端部が折曲げられて折曲げ片１８ａ及び折返し片２２ａが形成されている点は先の実施の形態と同様であるが、この実施の形態においては、更に折返し片２２ａの先端が平板部２０ａ側に折曲げられて戻り片４０ａが形成され、更にその先端が折曲げられて平板部２０ａに沿うように外方に伸びる延長片４２ａが形成されている。一方、平板部２１ａの端部も同様に、折曲げ片１９ａ及び折返し片２３ａに続く戻り片４１ａ及び延長片４３ａが形成されている。
【００６４】
この実施の形態においても、平板部２０ａと折返し片２２ａとの間に所定空間６１が、平板部２１ａと折返し片２３ａとの間に所定空間６２が、各々形成されて端部の曲げ剛性を高めている。しかしこの実施の形態においては更に戻り片４０ａ及び延長片４２ａ並びに戻り片４１ａ及び延長片４３ａが形成されているため、更に曲げ剛性を向上させている。尚、この実施の形態におけるスライド機能を発揮する縁巻の係合状態は先の実施の形態と同様である。
【００６５】
図９はこの発明の第３の実施の形態による金属箔成形体の係合状態を示した端面図であって、第１の実施の形態による図３に対応した図である。
【００６６】
図を参照して、この実施の形態においては平板部２０ａの端部には縁巻部４４ａが形成されて所定空間６１を確保している。一方、平板部２１ａの端部には縁巻部４５ａが形成されて所定空間６２が確保されている。これによって平板部２０ａ及び平板部２１ａの端部の曲げ剛性を高めている。この実施の形態においてもスライド機能を発揮する縁巻部の係合状態は第１の実施の形態によるものと同一である。
【００６７】
図１０はこの発明の第４の実施の形態による金属箔成形体の係合状態を示した端面図であって、第１の実施の形態による図３に対応した図である。
【００６８】
図を参照して、この実施の形態においては、平板部２０ａ及び平板部２１ａの各々の端部に形成されている折曲げ部の形状は図８に示した実施の形態によるものと基本的には同一である。しかし、この実施の形態においてはそれらの折曲げ部が平板部２０ａ及び平板部２１ａの各々から互いに外方に向かって形成されている点が異なっている。このように外方に向けて平板部２０ａ及び平板部２１ａの端部を折曲げるように構成しても、同様に端部の曲げ剛性が向上する。尚、この実施の形態によるスライド機能を発揮する縁巻部の係合状態は第１の実施の形態によるものと同一である。
【００６９】
尚、上記の各実施の形態では、金属箔成形体として調理用油除けパネルを例示しているが、フィルターカバー等の他の用途の金属箔成形体にも同様に適用できることは言うまでもない。
【００７０】
又、上記の各実施の形態では、平板の折り返し端部の形状を特定しているが、曲げ剛性を高める形状であれば他の折返し形状であっても良い。
【００７１】
更に、上記の各実施の形態では、縁巻の中心は平坦部の面と折返し片の面との間の中央の面の延長上に位置しているが、この中心位置は平坦部又は折返し片のいずれか一方に偏心した面上の位置であっても良い。
【００７２】
更に、上記の各実施の形態で示した調理用油除けでは、縁巻部の巻き込み方向を特定しているが、反対方向に巻き込むように構成しても良い。
【図面の簡単な説明】
【図１】この発明の第１の実施の形態による金属箔成形体によって形成された調理用油除けパネルの外観形状を示した斜視図である。
【図２】図１で示した“Ｘ”部分の拡大斜視図である。
【図３】図２で示したＩＩＩ−ＩＩＩラインの端面図である。
【図４】図２で示したＩＶ−ＩＶラインの端面図である。
【図５】図２で示したＶ−Ｖラインの端面図である。
【図６】図２で示したＶＩ−ＶＩラインの端面図である。
【図７】この発明の第１の実施の形態による金属箔成形体の製造方法を示した概略工程図である。
【図８】この発明の第２の実施の形態による金属箔成形体の係合状態を示した端面図である。
【図９】この発明の第３の実施の形態による金属箔成形体の係合状態を示した端面図である。
【図１０】この発明の第４の実施の形態による金属箔成形体の係合状態を示した端面図である。
【図１１】従来の調理用油除けパネルの使用状態の一例を示した斜視図である。
【図１２】図１１で示した“Ｙ”部分の拡大斜視図である。
【図１３】図１２で示したＸＩＩＩ−ＸＩＩＩラインの端面図である。
【図１４】図１２で示したＸＩＶ−ＸＩＶラインの端面図である。
【図１５】図１１で示した調理用油除けパネルの問題点を説明するための斜視図である。
【符号の説明】
１８，１９…折曲げ片
２０，２１…平板部
２２，２３…折返し片
２６…第１平板
２７…第２平板
３４，３５，３６，３７…縁巻
５７，５８…平坦部
５９，６０…端部
６１，６２…所定空間
１０１…調理用油除けパネル
１１０…正面パネル
１１１…右側面パネル
１１２…左側面パネル
１１３…折曲げ部
１１５…固定パネル
１１６…可動パネル
尚、各図中同一符号は同一又は相当部分を示す。
【図１】
2004058126.tif 000003
【図２】
2004058126.tif 000004
【図３】
2004058126.tif 000005
【図４】
2004058126.tif 000006
【図５】
2004058126.tif 000007
【図６】
2004058126.tif 000008
【図７】
2004058126.tif 000009
【図８】
2004058126.tif 000010
【図９】
2004058126.tif 000011
【図１０】
2004058126.tif 000012
【図１１】
2004058126.tif 000013
【図１２】
2004058126.tif 000014
【図１３】
2004058126.tif 000015
【図１４】
2004058126.tif 000016
【図１５】
2004058126.tif 000017